(57)【要約】【課題】ワイヤハーネスを確実に保護しながら案内できるようにする。【解決手段】ワイヤハーネス取り付け構造は、取り付けられるワイヤハーネスと平行な方向に延在する平行部材と、ワイヤハーネスの上側の面または下側の面に対向するように平行部材から突出する交叉部材と、交叉部材と交叉部材との間、交叉部材と交叉部材との間に形成された空間部とを備える。空間部は、平行部材の同じ側（例えば右側）に形成される。本技術は、例えばＰＴＺカメラを用いた監視用カメラに適用することができる。【選択図】図３
2012178956.tif 000002
【特許請求の範囲】
【請求項１】
取り付けられるワイヤハーネスと平行な方向に延在する平行部材と、
前記ワイヤハーネスの上側の面または下側の面に対向するように前記平行部材から突出する交叉部材と、
前記交叉部材と他の前記交叉部材との間に形成された空間部と
を備え、
前記空間部は、前記平行部材の同じ側に形成されている
ワイヤハーネス取り付け構造。
【請求項２】
前記交叉部材は、隣接する他の前記交叉部材が対向する前記ワイヤハーネスの面と反対側の面に対向する
請求項１に記載のワイヤハーネス取り付け構造。
【請求項３】
前記交叉部材の先端には、前記ワイヤハーネスを係止する突起が形成されている
請求項２に記載のワイヤハーネス取り付け構造。
【請求項４】
前記交叉部材のうちの一部は、前記突起を前記平行部材と平行な方向に所定の長さだけ伸張した伸張部材を有し、
前記伸張部材の先端には、前記平行部材の方向に突出する突出部材が形成され、
前記突出部材は、前記ワイヤハーネスの、前記伸張部材を有する前記交叉部材と反対側の面と対向し、
前記突出部材の先端は前記平行部材から離間している
請求項３に記載のワイヤハーネス取り付け構造。
【請求項５】
前記突出部材は、前記ワイヤハーネスの曲がる角度が最も大きい位置に形成されている
請求項４に記載のワイヤハーネス取り付け構造。
【請求項６】
前記平行部材は、環状に連結され、
前記空間部が前記平行部材の同じ側に形成されているのは、前記環状の範囲内とする
請求項４に記載のワイヤハーネス取り付け構造。
【請求項７】
前記平行部材を環状に連結する連結部材は、一端で、他のワイヤハーネスを支持している
請求項６に記載のワイヤハーネス取り付け構造。
【請求項８】
前記平行部材と前記交叉部材は、ハーネスホルダを構成している
請求項４に記載のワイヤハーネス取り付け構造。
【請求項９】
前記ハーネスホルダは、前記ハーネスホルダを取り付ける取り付け部材を有する
請求項８に記載のワイヤハーネス取り付け構造。
【請求項１０】
前記取り付け部材は、前記ハーネスホルダを支持する支持部材に形成された係合部に係合する係合部材を有する
請求項９に記載のワイヤハーネス取り付け構造。
【請求項１１】
前記ハーネスホルダは、ステータと、前記ステータに対して相対的に回転する、ＰＴＺカメラを有するロータとから構成される監視用カメラに用いられ、
前記係合部材は、前記取り付け部材としての前記ロータのプレートに形成された前記係合部に係合することで、前記ハーネスホルダを前記プレートに取り付ける
請求項１０に記載のワイヤハーネス取り付け構造。
【請求項１２】
取り付けられるワイヤハーネスと平行な方向に延在する平行部材と、
前記ワイヤハーネスの上側の面または下側の面に対向するように前記平行部材から突出する交叉部材と、
前記交叉部材と他の前記交叉部材との間に形成された空間部と
を設け、
前記空間部は、前記平行部材の同じ側に形成し、
前記ワイヤハーネスを前記空間部から挿通して前記交叉部材に支持させる
ワイヤハーネス取り付け方法。
【発明の詳細な説明】
【技術分野】
【０００１】
本技術はワイヤハーネス取り付け構造およびワイヤハーネス取り付け方法に関し、特にワイヤハーネスを確実に保護しながら案内するワイヤハーネス取り付け構造およびワイヤハーネス取り付け方法に関する。
【背景技術】
【０００２】
電子機器においては信号、電力などを伝達するワイヤハーネスが必要となる。このワイヤハーネスは他の部材と接触すると、断線する恐れがある。そこでワイヤハーネスを取り付けする構造に関して種々提案されている（例えば特許文献１）。
【０００３】
例えば監視用カメラとしては、パン、チルト、およびズームが可能なＰＴＺカメラ、またはドーム型カメラが用いられることが多い。ドーム型カメラはパンの回転角度に制限がないため、ロータとステータとの間の配線にはスリップリングが用いられる。これに対してＰＴＺカメラではパン回転可能角度は、通常３６０度以下に制限されているので、配線にはワイヤハーネスが用いられることが多い。
【０００４】
ワイヤハーネスは、ステータから回転軸の内部を通ってロータ側に案内され、さらにロータ側のプレートに沿ってロータの外周方向に案内される。
【先行技術文献】
【特許文献】
【０００５】
【特許文献１】特開２００８−７２８８５号公報
【発明の概要】
【発明が解決しようとする課題】
【０００６】
監視用カメラを小型化する場合、高さを低くする必要がある。高さを低くすると、ロータ側のプレートとカメラ本体との間隔が狭くなる。その結果、ワイヤハーネスとカメラ本体とが接触し、ワイヤハーネスの被覆が損傷を受けることになる。
【０００７】
本技術はこのような状況に鑑みてなされたものであり、ワイヤハーネスを確実に保護しながら案内できるようにするものである。
【課題を解決するための手段】
【０００８】
本技術の一側面は、取り付けられるワイヤハーネスと平行な方向に延在する平行部材と、前記ワイヤハーネスの上側の面または下側の面に対向するように前記平行部材から突出する交叉部材と、前記交叉部材と他の前記交叉部材との間に形成された空間部とを備え、前記空間部は、前記平行部材の同じ側に形成されているワイヤハーネス取り付け構造である。
【０００９】
前記交叉部材は、隣接する他の前記交叉部材が対向する前記ワイヤハーネスの面と反対側の面に対向することができる。
【００１０】
前記交叉部材の先端には、前記ワイヤハーネスを係止する突起を形成することができる。
【００１１】
前記交叉部材のうちの一部は、前記突起を前記平行部材と平行な方向に所定の長さだけ伸張した伸張部材を有し、前記伸張部材の先端には、前記平行部材の方向に突出する突出部材が形成され、前記突出部材は、前記ワイヤハーネスの、前記伸張部材を有する前記交叉部材と反対側の面と対向し、前記突出部材の先端は前記平行部材から離間していることができる。
【００１２】
前記突出部材は、前記ワイヤハーネスの曲がる角度が最も大きい位置に形成することができる。
【００１３】
前記平行部材は、環状に連結され、前記空間部が前記平行部材の同じ側に形成されているのは、前記環状の範囲内とすることができる。
【００１４】
前記平行部材を環状に連結する連結部材は、一端で、他のワイヤハーネスを支持することができる。
【００１５】
前記平行部材と前記交叉部材は、ハーネスホルダを構成することができる。
【００１６】
前記ハーネスホルダは、前記ハーネスホルダを取り付ける取り付け部材を有することができる。
【００１７】
前記取り付け部材は、前記ハーネスホルダを支持する支持部材に形成された係合部に係合する係合部材を有することができる。
【００１８】
前記ハーネスホルダは、ステータと、前記ステータに対して相対的に回転する、ＰＴＺカメラを有するロータとから構成される監視用カメラに用いられ、前記係合部材は、前記取り付け部材としての前記ロータのプレートに形成された前記係合部に係合することで、前記ハーネスホルダを前記プレートに取り付けることができる。
【００１９】
本技術の他の側面は、取り付けられるワイヤハーネスと平行な方向に延在する平行部材と、前記ワイヤハーネスの上側の面または下側の面に対向するように前記平行部材から突出する交叉部材と、前記交叉部材と他の前記交叉部材との間に形成された空間部とを設け、前記空間部は、前記平行部材の同じ側に形成し、前記ワイヤハーネスを前記空間部から挿通して前記交叉部材に支持させるワイヤハーネス取り付け方法である。
【００２０】
本技術の一側面のワイヤハーネス取り付け構造においては、取り付けられるワイヤハーネスと平行な方向に延在する平行部材と、ワイヤハーネスの上側の面または下側の面に対向するように平行部材から突出する交叉部材と、交叉部材と他の交叉部材との間に形成された空間部とが備えられ、空間部は、平行部材の同じ側に形成される。
【００２１】
本技術の他の側面のワイヤハーネス取り付け構造においては、取り付けられるワイヤハーネスと平行な方向に延在する平行部材と、ワイヤハーネスの上側の面または下側の面に対向するように平行部材から突出する交叉部材と、交叉部材と他の交叉部材との間に形成された空間部とが設けられ、空間部は、平行部材の同じ側に形成され、ワイヤハーネスは空間部から挿通されて交叉部材に支持される。
【発明の効果】
【００２２】
以上のように、本技術の一側面によれば、ワイヤハーネスを確実に保護しながら案内することができる。
【図面の簡単な説明】
【００２３】
【図１】本実施の形態の監視用カメラの原理的構成を示す図である
【図２】図１の破線で示す範囲を拡大して示す図である。
【図３】ハーネスホルダの基本パターンを示す図である。
【図４】ワイヤハーネスが保持されている状態を示す図である。
【図５】ハーネスホルダの基本パターンを示す図である。
【図６】ハーネスホルダの基本パターンを示す図である。
【図７】ハーネスホルダを構成する要素を示す図である。
【図８】要素を組み合わせたハーネスホルダの構成を示す図である。
【図９】ハーネスホルダにワイヤハーネスを取り付けた状態を示す図である。
【図１０】ハーネスホルダの機能を説明する図である。
【図１１】ハーネスホルダの取り付けを説明する図である。
【図１２】ハーネスホルダの連結部材の機能を説明する図である。
【図１３】プレートとカメラ本体の間隔を説明する図である。
【図１４】ワイヤハーネスの突起部を説明する図である。
【図１５】ワイヤハーネスの突起部の機能を説明する図である。
【発明を実施するための形態】
【００２４】
図１は、本実施の形態の監視用カメラの原理的構成を示す図である。この監視用カメラ１は、ステータ１１とロータ１２により構成されており、ステータ１１は図示せぬ天井などに固定される。ステータ１１には図示せぬモータが内蔵されている。そのモータの回転が、周囲を円筒部１４に囲まれている回転軸１３を介してロータ１２に伝達されると、ロータ１２はステータ１１に対して相対的に矢印Ａで示す方向に、すなわち紙面と垂直な面内で、約３６０度の範囲内で回転する。つまりロータ１２はパンする。
【００２５】
ロータ１２にはＰＴＺカメラとしてのカメラ本体１６が矢印Ｂで示される方向に回転自在に支持されている。ロータ１２に内蔵されている図示せぬモータの回転が伝達されると、カメラ本体１６は矢印Ｂの方向、すなわちチルト方向に回転する。カメラ本体１６の先端にはレンズ１７が突出しており、このレンズ１７により監視対象の空間が撮影される。上述したようにロータ１２がパンすると、カメラ本体１６も同時にパンする。また、カメラ本体１６がチルトするとレンズ１７もチルトする。このようにして空間の任意の位置の被写体を撮影することができる。さらにカメラ本体１６に内蔵されている図示せぬモータによりレンズ１７はズームされ、任意の画角で被写体を撮影することができる。
【００２６】
図２は、図１の破線で示す範囲を拡大して示す図である。図２に示されるように、回転軸１３の内部にはワイヤハーネス２１が挿通されている。ワイヤハーネス２１は、ステータ１１とロータ１２の間で電力、電気信号等を伝達する。
【００２７】
図１に示されるように、ロータ１２の最上面のプレート１５には、ハーネスホルダ１８が取り付けられている。ワイヤハーネス２１は、このハーネスホルダ１８に取り付けられ、支持され、ロータ１２内の所定の位置に案内される。これによりワイヤハーネス２１がカメラ本体１６と接触し、損傷を受けることが防止される。
【００２８】
図３はハーネスホルダ１８を構成する基本パターンを示す図である。図３の基本パターン３１はアルファベットの文字Ｅに似た形状をしているので、以下、必要に応じてＥ字基本パターンとも称する。
【００２９】
Ｅ字基本パターン３１は、ワイヤハーネス２１を案内する方向に延在する直線状で板状の部材４１と、部材４１から略垂直に突出する部材４２，４３，４４を有している。部材４２，４３，４４はそれぞれ、平行な面４２Ａ，４２Ｂ，４３Ａ，４３Ｂ，４４Ａ，４４Ｂを有する板状の形状とされ、部材４１の同じ側、図３の例においては右側に、突出している。
【００３０】
部材４２は部材４１の図中上側の面４１Ａに近い位置から突出し、部材４２に隣接する部材４３は、部材４１の図中下側の面４１Ｂに近い位置から突出し、部材４３に隣接する部材４４は、部材４１の上側の面４１Ａに近い位置から突出している。すなわち、部材４２乃至４４の突出する位置は、上側と下側に交互に変化する。
【００３１】
ワイヤハーネス２１は、部材４２乃至４４の図中下側の面または上側の面と交互に対向するようにＥ字基本パターン３１に取り付けられる。つまり、部材４２の下側の面４２Ｂがワイヤハーネス２１の上側の面と対向し、部材４２に隣接する部材４３の上側の面４３Ａがワイヤハーネス２１の下側の面と対向し、部材４３に隣接する部材４４の下側の面４４Ｂがワイヤハーネス２１の上側の面と対向する。
【００３２】
図４は、ワイヤハーネス２１が保持されている状態を示す図である。図４に示されるように、ワイヤハーネス２１を隣接する部材４２乃至４４に順次絡ませることで、ワイヤハーネス２１は上下方向にジグザグに支持され、上下方向への移動が制限される。また、ワイヤハーネス２１が挿通される空間部は、３方向が部材により囲まれる。例えば空間部４８は、上から見たとき、部材４１，４２，４３により囲まれており、空間部４９は、上から見たとき、部材４１，４４，４３により囲まれている。その結果、ワイヤハーネス２１が飛び出してしまい、他の部材と接触して損傷を受けるようなことが抑制される。
【００３３】
部材４２，４３，４４の先端、つまり、部材４１と反対側には、それぞれの面４２Ｂ，４３Ａ，４４Ｂから垂直な方向に（つまりワイヤハーネス２１の方向に）突起する突起４５，４６，４７が形成されている。すなわち部材４２の突起４５は、面４２Ｂから図中下側に、部材４３の突起４６は、面４３Ａから図中上側に、そして部材４４の突起４７は、面４４Ｂからは図中下側に、それぞれ突起している。ワイヤハーネス２１が部材４１から離れる方向に移動すると、その側端部が突起４５乃至４７に当接するので、ワイヤハーネス２１がＥ字基本パターン３１から離脱することが抑制される。
【００３４】
このように、ワイヤハーネス２１の突起４５乃至４７の方向（図３における右方向）への離脱は、突起４５乃至４７により阻止されるが、突起４５乃至４７と反対方向（図３における左方向）への離脱は、部材４１により阻止されることはもちろんである。
【００３５】
以下、部材４１のように、ワイヤハーネス２１の長手方向（図３における左下から右上方向）と平行な方向に延在する部材を平行部材、部材４２乃至４４のように、ワイヤハーネス２１の長手方向と交叉する方向（図３における左上から右下方向）に延在する部材を交叉部材とも称する。
【００３６】
部材４２と部材４３の間には空間部４８が形成され、部材４３と部材４４の間には空間部４９が形成されている。空間部４８，４９は、ワイヤハーネス２１を挿通する機能を有する。空間部４８，４９も部材４１の同じ側に形成されている。従ってワイヤハーネス２１をＥ字基本パターン３１に取り付けるとき、ワイヤハーネス２１を空間部４８，４９から部材４１に沿った方向に容易に配置することができる。
【００３７】
なお、Ｅ字基本パターン３１は、部材４２乃至４４を突出させる方向を右側ではなく左側にしたり、部材４２ないし４４を部材４１から突出させる上側または下側の位置を逆にすることもできる。
【００３８】
図５はハーネスホルダ１８を構成する他の基本パターンを示す図である。図５の基本パターン７１はアルファベットの文字Ｇに似た形状をしているので、以下、必要に応じてＧ字基本パターンとも称する。
【００３９】
図５に示されるように、Ｇ字基本パターン７１は、ワイヤハーネス２１を案内する方向に延在する直線状の板状の部材８１と、部材８１から略垂直に突出する部材８２，８４を有している。部材８２，８４はそれぞれ、平行な面８２Ａ，８２Ｂ，８４Ａ，８４Ｂを有する板状の形状とされ、部材８１の同じ側、図５の例においては右側に、突出している。
【００４０】
部材８２は部材８１の図中下側の面８１Ｂに近い位置から突出し、その先端には図中上方向に突起する突起８５が形成されている。突起８５は、部材８１と平行な方向に所定の長さだけ伸張部材８８により伸張され、その先端の図中上側には、相互に平行な面８３Ａと面８３Ｂを有する部材８３が部材８１の方向に突出するように形成されている。部材８３の先端は、部材８１と離間しており、部材８３の先端と部材８１の間には、空間部８９が形成されている。伸張部材８８の一端は、部材８３の突起８６を形成している。
【００４１】
部材８３は、部材８１から突出している訳ではないが、位置的には、部材８１の上側の面８１Ａに近い位置から突出していることになる。従って、部材８２と部材８３は、部材８１の上側と下側から交互に突出する。部材８４は部材８３と同様に、部材８１の上側の面８１Ａに近い位置から突出している。
【００４２】
ワイヤハーネス２１は、部材８２，８３の図中上側の面または下側の面と交互に対向するようにＧ字基本パターン７１に取り付けられる。つまり、部材８２の上側の面８２Ａがワイヤハーネス２１の下側の面と対向し、部材８３の下側の面８３Ｂがワイヤハーネス２１の上側の面、つまり部材８２が対向する下側の面の反対側の上側の面と対向する。
【００４３】
このようにワイヤハーネス２１は部材８２，８３により上下方向にジグザグに支持されるので、上下方向への移動が制限される。
【００４４】
ただし、部材８４はその下側の面８４Ｂがワイヤハーネス２１の上側の面と対向する。
【００４５】
部材８２と部材８３の間には空間部９０が形成され、部材８３と部材８４の間には空間部９１が形成されている。空間部９０，９１も部材８１の同じ側、図５の例においては右側に、形成されている。そして空間部９０，９１は、空間部８９により連通している。空間部８９乃至９１は、ワイヤハーネス２１を挿通する機能を有する。ワイヤハーネス２１をＧ字基本パターン７１に取り付けるとき、ワイヤハーネス２１を空間部８９から部材８３の下側に配置することで、ワイヤハーネス２１を部材８１に沿った方向に容易に配置することができる。
【００４６】
部材８２，８３，８４の先端には、それぞれの面８２Ａ，８３Ｂ，８４Ｂから垂直な方向に（つまりワイヤハーネス２１の方向に）突起する突起する突起８５，８６，８７が形成されている。すなわち部材８２の面８２Ａから図中上側に、部材８３の面８３Ｂから図中下側に、そして部材８４の面８４Ｂから図中下側に、それぞれ突起８５，８６，８７が突起している。
【００４７】
ワイヤハーネス２１が部材８１から離れる方向に移動すると、その側端部が突起８５乃至８７に当接するので、ワイヤハーネス２１がＧ字基本パターン７１から離脱することが抑制される。特に、突起８５と突起８６は伸張部材８８により連結されているので、空間部９０に位置するワイヤハーネス２１を部材８１から離間する方向に離脱することはより困難になる。その結果、より確実に、ワイヤハーネス２１を支持することが可能になる。
【００４８】
図５において、部材８１は平行部材、部材８２，８４は交叉部材である。部材８３も、ワイヤハーネス２１の長手方向と交叉する方向（図５における右下から左上方向）に延在する部材であるという意味において交叉部材である。しかし部材８３は、平行部材８１から突出していないという意味で、部材８２，８４とは異なる。そこで、伸張部材８８の先端の突起８６から平行部材８１の方向に突出し、先端が平行部材８１から離間するように形成された部材８３を、突出部材とも称する。
【００４９】
なお、Ｇ字基本パターン７１も、Ｅ字基本パターン３１と同様に、部材８２乃至８４を突出させる方向を右側ではなく左側にしたり、部材８２ないし８４を部材８１から突出させる上側または下側の位置を逆にすることができる。
【００５０】
図６はＧ字基本パターン７１の変形例の構成を表している。図５のＧ字基本パターン７１は、部材８４が部材８３と同様に、面８１Ａ側から突出するように形成されていた。これに対して図６のＧ字基本パターン７１においては、部材８４が面８１Ｂ側から突出するように形成されている。その結果、部材８４の上側の面８４Ａがワイヤハーネス２１の下側の面と対向する。これにより、図３のＥ字基本パターン３１と同様に、ワイヤハーネス２１を上下方向に順番にジグザグに支持することができる。
【００５１】
本技術では、Ｅ字基本パターン３１同士、Ｇ字基本パターン７１同士、あるいはＥ字基本パターン３１とＧ字基本パターン７１とを組み合わせることで、ハーネスホルダが形成されるが、それぞれの基本パターンの３つの交叉部材のすべてを用いる必要はない。一方の基本パターンの交叉部材は、他方の基本パターンの交叉部材で兼用することができる。また、交叉部材の突出する位置も、組み合わせに応じて適宜変更することができる。
【００５２】
図７は、Ｅ字基本パターン３１同士、Ｇ字基本パターン７１同士、あるいはＥ字基本パターン３１とＧ字基本パターン７１の組み合わせにより要素を構成し、その要素をさらに組み合わせてハーネスホルダを構成する場合のその要素を表している。
【００５３】
この例では、要素１２１乃至１２５が用意されている。要素１２１は、それぞれＥ字基本パターン３１からなる２つのパターン１３１，１３２と、パターン１３３を連結して構成されている。
【００５４】
パターン１３１は、平行部材１３７から突出する交叉部材１３５，１３６と、交叉部材１３５，１３６の間に形成された空間部１３４により構成されている。パターン１３２は、平行部材１４１から突出する交叉部材１３８，１４０と、交叉部材１３８，１４０の間に形成された空間部１３９により構成されている。平行部材１４１から図中右側に突出するように、かつ交叉部材１３６と交叉部材１３８の結合部から、図中左側に突出するように、取り付け部材１４５が形成されている。
【００５５】
パターン１３３は、略円板状の部材１４４により構成され、部材１４４の略中央には４角形の空間部１４３が形成され、この空間部１４３は空間部１４２により外部と連通している。空間部１４２，１３９，１３４は、同じ側、図の左側に形成されている。
【００５６】
要素１２２は、Ｅ字基本パターン３１からなるパターン１５１と、Ｇ字基本パターン７１からなるパターン１５２を連結して構成されている。パターン１５１は、平行部材１５６、平行部材１５６から図中上方向に突出する交叉部材１５４，１５５、および交叉部材１５４，１５５の間に形成された空間部１５３により構成されている。
【００５７】
パターン１５２は、平行部材１６３から図中上方向に突出する交叉部材１６４，１５７、交叉部材１６４から平行部材１６３と平行な方向に伸張する伸張部材１５８、伸張部材１５８から平行部材１６３の方向に突出する突出部材１５９により構成されている。突出部材１５９の先端と平行部材１６３の間には、空間部１６０が形成されている。交叉部材１５７と交叉部材１５９の間には、空間部１６１が形成されている。交叉部材１６４と交叉部材１５９の間には、空間部１６２が形成されている。空間部１６２は空間部１６０を介して、空間部１６１と連通している。
【００５８】
要素１２３は、平行部材１７６、平行部材１７６から図中右上方向に突出する交叉部材１７１，１７３，１７５、交叉部材１７１，１７３の間に形成された空間部１７２、並びに交叉部材１７３，１７５の間に形成された空間部１７４により構成されている。
【００５９】
要素１２４は、平行部材１８６、平行部材１８６から図中下方向に突出する交叉部材１８１，１８３，１８５、交叉部材１８１，１８３の間に形成された空間部１８２、並びに交叉部材１８３，１８５の間に形成された空間部１８４により構成されている。
【００６０】
要素１２５は、２つの直線状の部材１９１，１９２を略垂直に連結して、Ｔ字状に構成されている。要素１２５は、各部材を環状に連結する連結部材として機能する。連結部材はこの他、十字状、Ｌ字状に構成することもできる。このように部材を直交させることで、強度を確保することができる。
【００６１】
図８は、図７に示した要素１２１乃至１２５を組み合わせ、一体化して形成したハーネスホルダ１８の構成を示す図である。図８に示されるように、要素１２１の交叉部材１３５と要素１２２の平行部材１５６が結合され、要素１２２の交叉部材１６４と要素１２３の交叉部材１７１が結合されている。さらに、要素１２３の平行部材１７６と要素１２５の部材１９２とが結合され、要素１２５の部材１９１と要素１２１の部材１４４とが結合されている。このように、要素１２１，１２２，１２３，１２５が環状に接続されている。つまり要素１２１，１２２，１２３，１２５が環２００を形成している。その結果、ハーネスホルダ１８の強度が確保されている。
【００６２】
さらに環状に接続された要素１２１，１２２，１２３，１２５に形成されている空間部１４２，１３９，１３４，１５３，１６１，１７２，１７４は、全て環の外側を向くように形成されている。
【００６３】
さらに要素１２３の交叉部材１７５と要素１２４の交叉部材１８１が結合されている。
【００６４】
図９は、ハーネスホルダ１８にワイヤハーネス２１を取り付けた状態を示す図である。図８に示されるようにして要素１２１乃至１２５を結合して形成されたハーネスホルダ１８には、図９に示されるように、ワイヤハーネス２１が取り付けられる。
【００６５】
ワイヤハーネス２１は、図９に示されるように、空間部から挿通して交叉部材に支持させる。すなわち、ワイヤハーネス２１は、空間部１４３を紙面の下から上に抜け、空間部１３９を上から下に抜け、空間部１３４を下から上に抜け、空間部１５３を上から下に抜け、空間部１６２を下から上に抜け、空間部１７２を上から下に抜け、空間部１７４を下から上に抜けている。
【００６６】
ワイヤハーネス２１は図９の左上の位置で略直角に曲げられている。ワイヤハーネス２１は弾性を有しているので、曲げられた部分においては直線に戻ろうとする力が作用する。このため、この曲がり角付近において図３に示されるようなＥ字基本パターン３１を用いると、その突起４５乃至４７だけでは係止しきれずに、ワイヤハーネス２１が平行部材４１から離脱してしまうおそれがある。そこで、図９の例に示されるように、ワイヤハーネス２１の曲がる角度が最も大きい位置では、図５または図６に示されるようなＧ字基本パターン７１を用いるのがよい。これにより伸張部材８８によりワイヤハーネス２１の離脱を確実に防止することができる。
【００６７】
なお、要素１２２のＧ字基本パターン７１としてのパターン１５２は、図５に示されるように構成されている。その結果、ワイヤハーネス２１は空間部１６１に挿通されていない。パターン１５２が、図６に示されるように構成されている場合には、ワイヤハーネス２１は空間部１６１を下から上に抜け、空間部１６２を上から下に抜け、空間部１７２を下から上に抜け、空間部１７４を上から下に抜けることになる。
【００６８】
以上のように、環状に配置された要素１２１乃至１２３においては、空間部１４２，１３９，１３４，１５３，１６１，１７２，１７４は、全て環２００の外側を向くように形成されている。従って、ワイヤハーネス２１を各空間部に取り付けるときの操作の方向が、環２００の外側から内側に向かう方向になるので、空間部を内側にだけ設ける場合に比べて、ワイヤハーネス２１の取り付けの作業効率が良好となる。また、外側と内側の両方に空間部を形成する場合に比べて、強度を確保することができる。
【００６９】
空間部を環２００の外側だけに形成すると、ワイヤハーネス２１が環２００の外側に外れやすくなるが、Ｅ字基本パターン３１だけでなく、Ｇ字基本パターン７１を加えることで、ワイヤハーネス２１が環の外側に外れるのを抑制することができる。
【００７０】
図９に示されるように、空間部１７４で下から上に抜けたワイヤハーネス２１は、さらに要素１２４の空間部１８２で上から下に抜け、空間部１８４で下から上に抜ける。
【００７１】
このように、ワイヤハーネス２１をハーネスホルダ１８に保持させると、ワイヤハーネス２１をハーネスホルダ１８に保持させた状態でプレート１５に取り付けることができるので、ハーネスホルダ１８を用いずに、直接ワイヤハーネス２１をプレート１５に取り付ける場合に比べて、取り付け作業が容易になる。
【００７２】
図１０は、ハーネスホルダ１８の機能を説明する図である。図１０に示されるように、円板状の部材１４４は、その中心が回転軸１３と同軸になるように、回転軸１３の出口を塞ぐように配置される。
【００７３】
図１１は、ハーネスホルダ１８の取り付けを説明する図である。図１０の取り付け部材１４５のＡ−Ａ’線の断面を表すと、図１１に示されるようになる。すなわち、取り付け部材１４５は、左右に水平に延びた部分の端部から、垂直に下方向に延びる垂直部２１１，２１３を有している。垂直部２１１，２１３の先端には、係合部材としての爪２１２，２１４が形成されている。ロータ１２の最上面のプレート１５は、ハーネスホルダ１８を取り付け、支持する支持部材を構成し、このプレート１５には、係合部としての孔２２１，２２２が形成されている。ハーネスホルダ１８をプレート１５に押圧すると、爪２１２，２１４が、それぞれ孔２２１，２２２に係合する。これによりハーネスホルダ１８がプレート１５に取り付けられる。
【００７４】
回転軸１３の内部を挿通してきたワイヤハーネス２１は、円板状の部材１４４の中心に形成された空間部１４３からロータ１２の内部に案内される。そしてワイヤハーネス２１は、要素１２１乃至１２４により支持、案内される。
【００７５】
図１２は、ハーネスホルダ１８の連結部材の機能を説明する図であり、図１０の破線で示す範囲を拡大して示している。図１０の部材１９１のＢ−Ｂ’線の断面を表すと、図１２に示されるようになる。部材１９１には所定の位置に突部２３１が形成され、突部２３１の裏側には、凹部２３２が形成されている。凹部２３２は内部に他のワイヤハーネス２０１を収容し、支持している。
【００７６】
図１３は、プレート１５とカメラ本体１６の間隔を説明する図である。プレート１５に取り付けられているハーネスホルダ１８は、ワイヤハーネス２１を支持し、案内している。その結果、ワイヤハーネス２１が垂れ下がり、カメラ本体１６と接触するおそれが少なくなるので、監視用カメラを小型化し、プレート１５とカメラ本体１６との間隔Ｄを小さくしても、ワイヤハーネス２１を確実に保護しながら案内することができる。
【００７７】
図１４は、ワイヤハーネス２１の突起部２６３を説明する図であり、図１５は、ワイヤハーネス２１の突起部２６３の機能を説明する図である。
【００７８】
これらの図に示されるように、ワイヤハーネス２１の両端には、コネクタ２６１，２６２が接続され、それぞれステータ１１内の対応する部品およびロータ１２内の対応する部品に接続される。ワイヤハーネス２１の途中には、突起部２６３が形成されている。突起部２６３は、樹脂などで構成したり、テープを巻回することで形成される。
【００７９】
突起部２６３の直径は、図９および図１０に示す円板状の部材１４４の中心の空間部１４３の径より大きくなるように形成される。その結果、図１５に示されるように、ワイヤハーネス２１が自重により、ロータ１２内にずり下がろうとしても、ワイヤハーネス２１に取り付けた突起部２６３が円板状の部材１４４に当接して、ずり下がりが防止される。
【００８０】
以上においては、ハーネスホルダ１８をプレート１５に取り付けるようにしたが、プレート１５にハーネスホルダ１８を一体的に形成することもできる。
【００８１】
なお、本技術は、監視用カメラの他、照明器具、その他の電子機器に応用することが可能である。
【００８２】
また、以上の実施の形態は、上述した実施の形態に限定されるものではなく、本技術の要旨を逸脱しない範囲において種々の変更が可能である。
【００８３】
なお、本技術は以下のような構成も取ることができる。
（１）
取り付けられるワイヤハーネスと平行な方向に延在する平行部材と、
前記ワイヤハーネスの上側の面または下側の面に対向するように前記平行部材から突出する交叉部材と、
前記交叉部材と他の前記交叉部材との間に形成された空間部と
を備え、
前記空間部は、前記平行部材の同じ側に形成されている
ワイヤハーネス取り付け構造。
（２）
前記交叉部材は、隣接する他の前記交叉部材が対向する前記ワイヤハーネスの面と反対側の面に対向する
前記（１）に記載のワイヤハーネス取り付け構造。
（３）
前記交叉部材の先端には、前記ワイヤハーネスを係止する突起が形成されている
前記（１）または（２）に記載のワイヤハーネス取り付け構造。
（４）
前記交叉部材のうちの一部は、前記突起を前記平行部材と平行な方向に所定の長さだけ伸張した伸張部材を有し、
前記伸張部材の先端には、前記平行部材の方向に突出する突出部材が形成され、
前記突出部材は、前記ワイヤハーネスの、前記伸張部材を有する前記交叉部材と反対側の面と対向し、
前記突出部材の先端は前記平行部材から離間している
前記（３）に記載のワイヤハーネス取り付け構造。
（５）
前記突出部材は、前記ワイヤハーネスの曲がる角度が最も大きい位置に形成されている
前記（１）乃至（４）のいずれかに記載のワイヤハーネス取り付け構造。
（６）
前記平行部材は、環状に連結され、
前記空間部が前記平行部材の同じ側に形成されているのは、前記環状の範囲内とする
前記（１）乃至（５）のいずれかに記載のワイヤハーネス取り付け構造。
（７）
前記平行部材を環状に連結する連結部材は、一端で、他のワイヤハーネスを支持している
前記（６）に記載のワイヤハーネス取り付け構造。
（８）
前記平行部材と前記交叉部材は、ハーネスホルダを構成している
前記（１）乃至（７）のいずれかに記載のワイヤハーネス取り付け構造。
（９）
前記ハーネスホルダは、前記ハーネスホルダを取り付ける取り付け部材を有する
前記（８）に記載のワイヤハーネス取り付け構造。
（１０）
前記取り付け部材は、前記ハーネスホルダを支持する支持部材に形成された係合部に係合する係合部材を有する
前記（９）に記載のワイヤハーネス取り付け構造。
（１１）
前記ハーネスホルダは、ステータと、前記ステータに対して相対的に回転する、ＰＴＺカメラを有するロータとから構成される監視用カメラに用いられ、
前記係合部材は、前記取り付け部材としての前記ロータのプレートに形成された前記係合部に係合することで、前記ハーネスホルダを前記プレートに取り付ける
前記（１０）に記載のワイヤハーネス取り付け構造。
（１２）
取り付けられるワイヤハーネスと平行な方向に延在する平行部材と、
前記ワイヤハーネスの上側の面または下側の面に対向するように前記平行部材から突出する交叉部材と、
前記交叉部材と他の前記交叉部材との間に形成された空間部と
を設け、
前記空間部は、前記平行部材の同じ側に形成し、
前記ワイヤハーネスを前記空間部から挿通して前記交叉部材に支持させる
ワイヤハーネス取り付け方法。
【符号の説明】
【００８４】
１  監視用カメラ，  １１  ステータ，  １２  ロータ，  １３  回転軸，  １５  プレート，  １６  カメラ本体，  １７  レンズ，  １８  ハーネスホルダ，  ２１  ワイヤハーネス，  ３１  Ｅ字基本パターン，  ４１乃至４４  部材，  ４５乃至４７  突起，  ４８，４９  空間部，  ７１  Ｇ字基本パターン，  ８１乃至８４  部材，  ８５乃至８７  突起，  ８８  伸張部材，  ８９乃至９１  空間部
【図１】
2012178956.tif 000003
【図２】
2012178956.tif 000004
【図３】
2012178956.tif 000005
【図４】
2012178956.tif 000006
【図５】
2012178956.tif 000007
【図６】
2012178956.tif 000008
【図７】
2012178956.tif 000009
【図８】
2012178956.tif 000010
【図９】
2012178956.tif 000011
【図１０】
2012178956.tif 000012
【図１１】
2012178956.tif 000013
【図１２】
2012178956.tif 000014
【図１３】
2012178956.tif 000015
【図１４】
2012178956.tif 000016
【図１５】
2012178956.tif 000017